【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
クライアント・デバイスにおいて、
ブロードキャストの中のコンテンツを受け取るステップと、
メタデータに対するリクエストであってリモート・デバイスから受け取られたリクエストを識別し、前記ブロードキャストの中のコンテンツから静止画をキャプチャするステップと、
前記リモート・デバイスからのリクエストに応答して、前記ブロードキャストの中のコンテンツから前記静止画をキャプチャするステップと、
前記リモート・デバイスに受け取られ表示されるように前記静止画を送信するステップと、
前記リモート・デバイスから、前記リモート・デバイスにおいて表示される静止画の一部を受け取るステップであって、前記静止画の前記一部は前記リモート・デバイスにおけるユーザ・インターフェース出力を介してユーザによって選択され、前記静止画の前記一部は識別されるオブジェクトを少なくとも１つ含む、ステップと、
１又は複数のサーバによって受け取られるように前記静止画の前記一部を送信し、画像認識を用いて前記静止画の前記一部を処理し前記少なくとも１つのオブジェクトを識別することによって前記リクエストと関係するメタデータを識別するステップと、
前記１又は複数のサーバから前記識別されたメタデータを受け取るステップであって、前記識別されたメタデータは前記静止画の前記一部の中の前記少なくとも１つのオブジェクトと関連する、ステップと、
前記リモート・デバイスが前記受け取られたメタデータを表示するように前記受け取られたメタデータを出力するステップと、
を含む方法。
【請求項２】
請求項１記載の方法において、前記識別するステップは前記コンテンツが受け取られる際にリアルタイムで実行される、方法。
【請求項３】
請求項１記載の方法であって、前記クライアント・デバイスにおけるストレージに前記コンテンツを格納するステップを更に含んでおり、前記識別するステップと前記出力するステップとは前記コンテンツが格納される際に実行される、方法。
【請求項４】
請求項１記載の方法であって、前記クライアント・デバイスにおけるストレージに前記コンテンツを格納するステップを更に含んでおり、前記識別するステップは前記コンテンツが前記ストレージから出力される際に実行される、方法。
【請求項５】
請求項１記載の方法において、前記リモート・デバイスは、前記クライアント・デバイスと通信状態で結合されており、前記クライアント・デバイスにローカルである１又は複数の機能を前記クライアント・デバイスに実現させる、方法。
【請求項６】
請求項１記載の方法において、前記コンテンツはネットワーク・オペレータのヘッド・エンドの１又は複数のサーバから前記クライアント・デバイスにストリーミングされる、方法。
【請求項７】
請求項１記載の方法において、前記識別するステップは、前記リモート・デバイスのそれぞれがそれぞれの好みに特定の前記メタデータを受信するように、複数の前記リモート・デバイスに対して実行される、方法。
【請求項８】
リモート・デバイスにおいて、
前記リモート・デバイスとクライアント・デバイスとの間に永続的なネットワーク接続を生じさせるステップと、
前記クライアント・デバイスにおけるブロードキャストの中のコンテンツ出力と関連するメタデータに対するリクエストを形成するステップであって、前記リクエストは、前記クライアント・デバイスにおける前記ブロードキャストの中の前記コンテンツ出力から前記クライアント・デバイスに静止画をキャプチャさせ、画像認識を用いて処理され、前記静止画において１又は複数のオブジェクトを識別し、前記リクエストと関係を有しており表示のために前記リモート・デバイスに送信されるメタデータを取得する、ステップと、
前記リモート・デバイスにおいて、前記クライアント・デバイスから受信された静止画を表示するステップと、
前記リモート・デバイスにおけるユーザ・インターフェース出力を介して、前記リモート・デバイスにおいて表示される静止画の一部を選択するユーザ入力を受け取るステップであって、前記静止画の前記一部は識別される１又は複数のオブジェクトを含む、ステップと、
前記静止画の前記一部を１又は複数のサーバに受信されるように前記リモート・デバイスから送信し、画像認識を用いて前記静止画の前記一部を処理して前記静止画において前記１又は複数のオブジェクトを識別することにより、前記静止画の前記一部における前記１又は複数のオブジェクトと関連するメタデータを取得するステップと、
前記１又は複数のサーバから前記メタデータを受信するステップと、
前記静止画の中の前記１又は複数のオブジェクトに対する要求に対応するメタデータを表示するステップと、
別のユーザに対応し前記クライアント・デバイスと通信するように構成されている別のリモート・デバイスにおいて表示されるように前記メタデータを送信するステップと、
を含む、方法。
【請求項９】
請求項８記載の方法において、前記リモート・デバイスと前記クライアント・デバイスとの間のネットワーク接続は永続的であり、前記リモート・デバイスと前記クライアント・デバイスとの間のネットワーク接続はユーザの介入なくして自動的に生じる、方法。
【請求項１０】
請求項８記載の方法において、
前記ネットワーク接続を生じさせるステップは、複数の前記クライアント・デバイスに対して実行され、
前記ネットワーク接続は永続的であり、前記リモート・デバイスと前記クライアント・デバイスとの間のネットワーク接続はユーザの介入なくして自動的に生じる、方法。
【請求項１１】
請求項８記載の方法において、前記リモート・デバイスは、前記クライアント・デバイスに対してローカルである１つ又は複数の機能を前記クライアント・デバイスに実現させるように構成されている、方法。
【請求項１２】
請求項８記載の方法において、
前記コンテンツと前記メタデータとはネットワーク・オペレータのヘッド・エンドから前記クライアント・デバイスにストリーミングされ、
前記リモート・デバイスは前記クライアント・デバイスを介して前記メタデータを受信する、方法。
【請求項１３】
請求項８記載の方法において、
前記コンテンツはネットワーク・オペレータのヘッド・エンドから前記クライアント・デバイスにストリーミングされ、
前記メタデータは、前記クライアント・デバイスにストリーミングされることなく、リモート・デバイスに直接にストリーミングされる、方法。
【請求項１４】
請求項８記載の方法において、前記リクエストは、前記クライアント・デバイスによって前記コンテンツ出力の少なくとも一部を識別する、方法。
【請求項１５】
リモート・デバイスにおいて、
クライアント・デバイスにおいて表示されるビデオ・データから前記クライアント・デバイスによってキャプチャされるイメージを、前記リモート・デバイスにおいて表示するステップと、
画像認識と共に用いられる画像の一部を選択するユーザ入力を受け取り、前記画像の前記一部における１又は複数のオブジェクトと関連するメタデータを取得するステップであって、前記ユーザ入力は、前記リモート・デバイスによって出力されるユーザ・インターフェースを介して前記画像の前記一部において前記１又は複数のオブジェクトにユーザが丸を付けることに応答して受け取られる、ステップと、
前記クライアント・デバイスによって受信されるように前記リモート・デバイスから前記画像の前記一部を送信し、前記画像の前記一部の中の前記１又は複数のオブジェクトと関連するメタデータを識別するステップと、
前記リモート・デバイスと統合されたディスプレイ・スクリーンに前記メタデータを表示し、前記メタデータとのユーザ対話をイネーブルするステップと、
を含む方法。
【請求項１６】
請求項１５記載の方法において、前記リモート・デバイスによって表示されるメタデータは、リモート・デバイスの好み又はユーザの好みの一方に基づくメタデータを含む、方法。
【請求項１７】
請求項１５記載の方法において、前記クライアント・デバイスに、表示されているビデオ・データから静止画をキャプチャさせて、前記クライアント・デバイスにおける前記ビデオ・データの現在のブロードキャストを中断することなく前記静止画を前記リモート・デバイスに送信させるステップを更に含む、方法。
【請求項１８】
請求項１５記載の方法において、前記リモート・デバイスと前記クライアント・デバイスとは同じ部屋の中に存在する、方法。
【請求項１９】
請求項１５記載の方法において、前記画像の前記一部のユーザ選択を受け取るステップを更に含み、前記一部の中の前記１又は複数のオブジェクトは俳優の顔を含んでおり、前記画像認識は前記俳優を識別して前記俳優と関連するメタデータを取得するのに用いられる顔認識を含む、方法。
【請求項２０】
請求項１５記載の方法であって、
前記画像の前記一部が、前記１又は複数のオブジェクトの画像認識及び識別のために１又は複数のサーバによって受信されるように送信されるようにするステップと、
前記ディスプレイ・スクリーンにおける表示のために前記１又は複数のオブジェクトと関連するメタデータを受け取るステップと、
を更に含む、方法。
【請求項２１】
サーバにおいて、
クライアント・デバイスにおけるコンテンツのブロードキャストからキャプチャされた静止画の一部をネットワーク経由で受け取るステップであって、前記静止画は、前記クライアント・デバイスから遠隔であるリモート・デバイスからの要求に応答して前記クライアント・デバイスによってキャプチャされ、更に前記静止画は、前記リモート・デバイスにおける表示のために前記リモート・デバイスに送信され、ユーザ入力を介して前記リモート・デバイスにおいて出力されるユーザ・インターフェースを介する前記静止画の前記一部のユーザ選択をイネーブルする、ステップと、
画像認識を用いて前記静止画の前記一部を処理し、前記静止画の前記一部の中の１又は複数のオブジェクトを識別するステップと、
前記識別された１又は複数のオブジェクトに対応するメタデータを見出すステップと、
前記見出されたメタデータを前記クライアント・デバイスによる受信のために前記ネットワークを介して送信するステップと、
を含む方法。
【請求項２２】
請求項２１記載の方法において、前記送信するステップは前記見出されたメタデータを前記クライアント・デバイスにストリーミングすることによって実行される、方法。
【請求項２３】
請求項２１記載の方法において、前記送信するステップは前記見出されたメタデータを前記クライアント・デバイスにストリーミングすることなく前記リモート・デバイスに直接にストリーミングすることによって実行され、前記リモート・デバイスは前記クライアント・デバイスに通信状態で結合されており前記静止画をキャプチャさせる、方法。
【請求項２４】
請求項２１記載の方法において、前記サーバはネットワーク・オペレータのヘッド・エンドのコンポーネントである、方法。
【請求項２５】
請求項２１記載の方法において、前記見出されたメタデータはユーザの好み又は前記クライアント・デバイスに通信状態で結合されているリモート・デバイスの好みの一方に基づくメタデータを含む、方法。
【請求項２６】
請求項２１記載の方法において、前記１又は複数のオブジェクトは俳優の顔を含んでおり、前記画像認識は前記俳優を識別して前記俳優と関連する対応のメタデータを取得するのに用いられる顔認識を含む、方法。
【請求項２７】
請求項２１記載の方法において、前記静止画は、前記クライアント・デバイスにおけるコンテンツの現在のブロードキャストから、前記現在のブロードキャストを中断させることなくキャプチャされる、方法。